(57)【要約】【課題】  操作性を向上させる。【解決手段】  少なくとも前後の二方向に操作可能で、その各操作方向に使用者が指を懸けて操作するための指懸け部３４を操作部３３に有するものにおいて、上記指懸け部３４を少なくとも上記前後の二方向（前部３４ａ及び後部３４ｂ）につき非対称形に形成した。これにより、使用者の指の懸かりを異ならせることができ、例えば前方には指の痛みを軽減でき、後方には指の懸かりを良くして、ともに操作性を向上させることができる。【選択図】  図１
2005084700.tif 000002
【特許請求の範囲】
【請求項１】
少なくとも前後の二方向に操作可能で、その各操作方向に使用者が指を懸けて操作するための指懸け部を操作部に有するものにおいて、
前記指懸け部を少なくとも前記前後の二方向につき非対称形に形成したことを特徴とするジョイスティック。
【請求項２】
指懸け部が、使用者の指が懸かる部分の角度を異ならせることにより非対称形に形成されていることを特徴とする請求項１記載のジョイスティック。
【発明の詳細な説明】
【技術分野】
【０００１】
本発明は、操作部の指懸け構造を改良したジョイスティックに関する。
【背景技術】
【０００２】
ジョイスティックは、例えばカーナビゲーションの操作に用いられる。このジョイスティックにあっては、操作部に指懸け部が設けられ、その指懸け部に使用者が指を懸けてジョイスティックを操作するようになっている。
図８は、こうしたジョイスティック１の操作部２に設けられた従来の指懸け部３を示している。この従来の指懸け部３は、ジョイスティック１の操作方向に存在しており、図は前後方向（図中左右方向）の両部（前部と後部）に存在するものを示している。この前後方向に存在する指懸け部３は、その形状が断面山形で、同一である。
【発明の開示】
【発明が解決しようとする課題】
【０００３】
上記従来のものにおいて、使用者は、ジョイスティック１を前方に操作するとき、図９に示すように、前部の指懸け部３に指Ｆを懸けて操作部２を前方（矢印Ａ方向）に押す。ジョイスティック１を後方に操作するときには、図１０に示すように、後部の指懸け部３に指Ｆを懸けて操作部２を後方（矢印Ｂ方向）に引く。
そのうち、前者では、指懸け部３に懸けた指Ｆに爪を剥がすような痛みを感じることがあり、後者では、指懸け部３に懸ける指Ｆが指懸け部３上を滑って懸かりが悪く、ともにジョイスティック１の操作性に劣っていた。
【０００４】
本発明は上述の事情に鑑みてなされたものであり、従ってその目的は、操作性を向上させ得るジョイスティックを提供するにある。
【課題を解決するための手段】
【０００５】
上記目的を達成するために、本発明のジョイスティックは、少なくとも前後の二方向に操作可能で、その各操作方向に使用者が指を懸けて操作するための指懸け部を操作部に有するものにおいて、前記指懸け部を少なくとも前記前後の二方向につき非対称形に形成したことを特徴とする（請求項１の発明）。
この場合、指懸け部は、使用者の指が懸かる部分の角度を異ならせることにより非対称形に形成されていると良い（請求項２の発明）。
【発明の効果】
【０００６】
請求項１の発明によれば、少なくとも前後の二方向につき非対称形に形成した指懸け部によって、使用者の指の懸かりを異ならせることができ、例えば前方には指の痛みを軽減でき、後方には指の懸かりを良くして、操作性を向上させることができる。
請求項２の発明によれば、上述の使用者の指の懸かりを異ならせる指懸け部の形状の設定が容易にできる。
【発明を実施するための最良の形態】
【０００７】
以下、本発明の一実施例（一実施形態）につき、図１ないし図７を参照して説明する。
まず、図４及びこれと直交する方向の断面を示した図５には、ジョイステック１１を中心とする操作装置１２の全体を示しており、その外殻を成す筐体１３を、基板１４上に固定したベース１５と、このベース１５に載置して結合したケース１６とで構成している。
ケース１６には、第１の支持体１７と第２の支持体１８とを収容して、第１の支持体１７をその前後（図４中左右）両端でそれぞれ軸部１９により左右（図４の紙面と直交する方向）に回動可能に枢支し、第２の支持体１８をその左右（図５中左右）両端でそれぞれ軸部２０により前後（図５の紙面と直交する方向）に回動可能に枢支している。
【０００８】
第１の支持体１７にはその長手方向（図４中左右方向）に長孔２１を形成しており、第２の支持体１８にもその長手方向（図５中左右方向）に長孔２２を形成している。そして、第２の支持体１８の下方には、昇降体２３を、ベース１５上からスプリング２４により持ち上げて配設している。昇降体２３は下面の中央部に凸部２５を有しており、これに対応して、ベース１５上には、ラバースイッチ等のスイッチ２６とクリックばね２７とを重ねて配設している。
【０００９】
一方、昇降体２３上にはカム２８を載置している。このカム２８は下部２８ａが例えば円盤状を成すもので、上部２８ｂを前記第２の支持体１８の長孔２２に下方から上方へと挿通させて前記軸部１９と同心の軸（図示せず）により第２の支持体１８に左右（図５中左右）に回動可能に枢着している。そして又、このカム２８の上部２８ｂには、前記ジョイスティック１１の主体部１１ａを連結して一体化している。
【００１０】
上記ジョイスティック１１の主体部１１ａは縦軸であり、前記ケース１６の上部に形成した孔３０を貫通してその上方に突出している。又、ケース１６外おいては、前記軸部１９の一方側（図４中左側の軸部１９）に第１の可変抵抗器３１を連繋させ、軸部２０の一方側（図５中左側の軸部２０）に第２の可変抵抗器３２を連繋させている。
なお、上記第１の可変抵抗器３１と第２の可変抵抗器３２並びに前記スイッチ２６は、前記基板１４が有する回路に接続されて、それぞれの出力信号がカーナビゲーションなど被制御機器の制御装置に入力されるようになっている。
【００１１】
そして、ジョイスティック１１の主体部１１ａの上端部には、操作部３３を、例えば別体のノブを取付けることにより設けている。この操作部３３は、この場合、図１ないし図３に示すように、短円柱状を成すものであり、その上面の周囲部に指懸け部３４を有している。この指懸け部３４は、断面山形に形成したもので、そのうち特に前後の二方向については、両部（前部と後部）３４ａ，３４ｂを非対称形に、特にはそれらの操作部３３上面中心側からの立ち上がり角度を前部３４ａで小さく（θ１）、後部３４ｂで大きく（θ２）なるように形成している。
【００１２】
又、この指懸け部３４は、前部３４ａから後部３４ｂにかけて上述の立ち上がり角度を漸次連続的に大きくしたもので、この関係上、左側部３４ｃと右側部３４ｄの立ち上がり角度は同じ（対称形）であり、操作部３３上面には、ここの中心から偏心して円形の平坦部３５が形成されている。更に、それらの前部３４ａ、後部３４ｂ、左側部３４ｃ、及び右側部３４ｄを含む指懸け部３４の全部の内側（操作部３３の上面中心側）の斜面部には、浅めの凹みを施している。
【００１３】
さて、上述のごとく構成したものの場合、使用者が操作部３３の指懸け部３４に指Ｆ（図６及び図７参照）を懸けて操作部３４を前後左右のいずれかの方向に操作すれば、ジョイスティック１１の全体がその方向に回動し、そのうち左右の方向には、ジョイスティック１１が第２の支持体１８の長孔２２内を回動して第１の支持体１７の回動を伴い、前後の方向には、ジョイスティック１１が第１の支持体１７の長孔２１内を回動して第２の支持体１８の回動を伴う。
【００１４】
このため、ジョイスティック１１の左右方向の操作では、第１の支持体１７の軸部１９を介し第１の可変抵抗器３１が応動して抵抗値を変化させ、前後方向の操作では、第２の支持体１８の軸部２０を介し第２の可変抵抗器３２が応動して抵抗値を変化させるものであり、その各出力信号が前述のように基板１４が有する回路を介してカーナビゲーションなど被制御機器の制御装置に入力される。
【００１５】
又、いずれの方向にしても、ジョイスティック１１を大きく回動させたときには、それと共に回動するカム２８が下部２８ａで昇降体２３を大きく押し下げることにより、該昇降体２３が下面の凸部２５によりクリックばね２７を押圧し、同時にスイッチ２６を作動させる。これにより、ジョイスティック１１を操作した使用者に、クリックばね２７の反転によるクリック感を与えると共に、スイッチ２６の作動による表示を上記カーナビゲーションなど被制御機器に行わしめる。
【００１６】
そして、このようにジョイスティック１１を操作するとき、操作部３３では、特に前後二方向の操作について、前方には、図６に示すように、指Ｆが指懸け部３４の前部３４ａに懸かり、後方には、図７に示すように、指Ｆが指懸け部３４の後部３４ｂに懸かる。このとき、指懸け部３４の前部３４ａと後部３４ｂとでは、それらを非対称形に形成しているため、使用者の指Ｆの懸かり具合を異ならせることができる。例えば前方には指Ｆに爪を剥がすような痛みを感じることをなくして、その痛みを軽減できるものであり、後方には指Ｆの懸かりを良くして、ともにジョイスティック１１の操作性を向上させることができる。
【００１７】
この場合、特に上記構成のものにおいては、指懸け部３４を、使用者の指Ｆが懸かる部分の立ち上がり角度を異ならせることにより非対称形に形成しているので、上述の前方への操作について指Ｆの痛みを軽減でき、後方への操作について指Ｆの懸かりを良くし得る効果をより確実に得ることができると共に、特には、そのように使用者の指Ｆの懸かりを異ならせる指懸け部３４の形状の設定を容易になすことができる。
【００１８】
なお、上述の前後二方向の操作に対して、左右二方向の操作については、操作部３３における指懸け部３４の左側部３４ｃと右側部３４ｄとを対称形（使用者の指Ｆが懸かる部分の立ち上がり角度も同じ）に形成しているので、指Ｆの懸かりは同じである。但し、これら限られず、この指懸け部３４の左側部３４ｃと右側部３４ｄとについても、それらを上述の前部３４ａ及び後部３４ｂ同様に非対称形（指Ｆが懸かる部分の立ち上がり角度を異ならせる）に形成して、指Ｆの懸かりを異ならせるようにしても良い。
【００１９】
そのほか、本発明は上記し且つ図面に示した実施例にのみ限定されるものではなく、特にジョイスティック１１の操作方向は前述の前後左右方向に限られず、例えばその前後二方向のみであっても良く、又は３６０度などそれ以上の方向であっても良いもので、更に、指懸け部３４の形状も断面山形以外の形状であっても良いなど、要旨を逸脱しない範囲内で適宜変更して実施し得る。
【図面の簡単な説明】
【００２０】
【図１】本発明の一実施例を示す、主要部分の縦断側面図
【図２】主要部分の斜視図
【図３】主要部分の平面図
【図４】操作装置全体の縦断側面図
【図５】操作装置全体の縦断正面図
【図６】主要部分の操作状態の縦断側面図
【図７】主要部分の異なる操作状態の縦断側面図
【図８】従来例を示す図１相当図
【図９】図６相当図
【図１０】図７相当図
【符号の説明】
【００２１】
図面中、１１はジョイスティック、３３は操作部、３４は指懸け部、３４ａは指懸け部の前部、３４ｂは指懸け部の後部、θ１は指懸け部の前部の立ち上がり角度（指の懸かる部分の角度）、θ２は指懸け部の後部の立ち上がり角度（指の懸かる部分の角度）を示す。
【図１】
2005084700.tif 000003
【図２】
2005084700.tif 000004
【図３】
2005084700.tif 000005
【図４】
2005084700.tif 000006
【図５】
2005084700.tif 000007
【図６】
2005084700.tif 000008
【図７】
2005084700.tif 000009
【図８】
2005084700.tif 000010
【図９】
2005084700.tif 000011
【図１０】
2005084700.tif 000012